【手続補正書】
【提出日】平成28年8月30日(2016.8.30)
【手続補正１】
【補正対象書類名】明細書
【補正対象項目名】０００８
【補正方法】変更
【補正の内容】
【０００８】
本開示はほとんどの部分が新生児のカプノメトリという観点から説明されているが、同じ開示が、Ｏ２など他の呼気マーカや新生児以外の臨床的応用にも適用されることも注意されるべきである。
本発明の目的を達成するための例示的な方法及びシステムは、次の通りである。
（１）本発明の方法は、呼気被検体を測定する方法であって、
第１のセンサを用いて、一連の呼気をモニタリングするステップと、
捕捉するための一連の呼気の複数の呼気部分を決定するステップであって、複数の呼気部分の各呼気部分が、第１のセンサの被検体応答時間よりも短い継続時間を第１のセンサにおいて含むステップと、
複数の呼気部分を全体として収集するステップと、
第２のセンサを用いて、呼気部分の収集物の被検体濃度を測定するステップであって、呼気部分の収集物が、第２のセンサの応答時間よりも長い継続時間を含むステップと、
を含む方法である。
（２）前記方法において、さらに、第１のセンサと第２のセンサとが同じセンサであっても良い。
（３）前記方法において、また、第１のセンサと第２のセンサとが共に被検体を測定することができる。
（４）前記方法において、また、一連の呼気をモニタリングするステップが、各呼気の呼気速度をモニタリングするステップを含んでも良い。
（５）前記方法において、また、一連の呼気をモニタリングするステップが、各呼気のカプノメトリ信号をモニタリングするステップを含んでも良い。
（６）前記方法において、また、捕捉するための一連の呼気の複数の呼気部分を決定するステップが、通常の呼気終末プロファイルを用いて呼気を同定するステップを含んでも良い。
（７）前記方法において、また、捕捉するための一連の呼気の複数の呼気部分を決定するステップが、非定常状態呼気、エピソード呼気、および異常呼気の１つまたは複数を除外するステップを含んでも良い。
（８）前記方法において、また、被検体がＣＯ２であっても良い。
（９）前記方法において、また、第１のセンサが赤外ＣＯ２センサであっても良い。
（１０）前記方法において、また、複数の呼気部分の各呼気部分が、それぞれの呼気の最後の１５０ｍｓｅｃの実質的にすべてを含んでも良い。
（１１）前記方法において、また、複数の呼気部分を全体として収集するステップが、複数の呼気部分をポンプを用いて収集チャンバの中に引き入れるステップを含み、第２のセンサを用いて呼気部分の収集物の被検体濃度を測定するステップが、呼気部分の収集物を第２のセンサに送るために前記ポンプを反転させるステップを含んでも良い。
（１２）前記方法において、また、複数の呼気部分を全体として収集するステップが、複数の呼気部分をポンプを用いて収集チャンバの中に引き入れるステップを含み、第２のセンサを用いて呼気部分の収集物の被検体濃度を測定するステップが、呼気部分の収集物を第２のセンサに送るためにポンプを反転させないステップを含んでも良い。
（１３）本発明のシステムは、呼気被検体を測定するためのシステムであって、
一連の呼気からデータを生成する第１のセンサと、
前記データを受け取り、捕捉するための一連の呼気の複数の呼気部分を前記データに基づき決定するプロセッサであって、複数の呼気部分の各呼気部分が、第１のセンサの被検体応答時間よりも短い継続時間を前記第１のセンサにおいて含む、プロセッサと、
複数の呼気部分を全体として収集するチャンバと、
呼気部分の収集物の被検体濃度を測定する第２のセンサであって、呼気部分の収集物が第１のセンサの応答時間よりも長い継続時間を含む第２のセンサと、
を含むシステムである。
（１４）前記システムにおいて、さらに、第１のセンサと第２のセンサとが同じセンサであっても良い。
（１５）前記システムにおいて、また、第１のセンサと第２のセンサとが共に被検体を測定することができる。
（１６）前記システムにおいて、また、第１のセンサが一連の呼気の各呼気の呼気速度に基づきデータを生成しても良い。
（１７）前記システムにおいて、また、第１のセンサが一連の呼気の各呼気のカプノメトリ信号に基づきデータを生成しても良い。
（１８）前記システムにおいて、また、プロセッサが、通常の呼気終末プロファイルを用いて呼気を同定することにより、捕捉するための一連の呼気の複数の呼気部分を決定しても良い。
（１９）前記システムにおいて、また、プロセッサが、非定常状態呼気、エピソード呼気、および異常呼気の１つまたは複数を除外することにより、捕捉するための一連の呼気の複数の呼気部分を決定しても良い。
（２０）前記システムにおいて、また、被検体がＣＯ２であっても良い。
（２１）前記システムにおいて、また、第１のセンサが赤外ＣＯ２センサであっても良い。
（２２）前記システムにおいて、また、複数の呼気部分の各呼気部分が、それぞれの呼気の最後の１５０ｍｓｅｃの実質的にすべてを含んでも良い。
（２３）前記システムは、複数の呼気部分をチャンバの中に引き入れるポンプをさらに備えており、ポンプが呼気部分の収集物を第２のセンサに送るようにしても良い。
（２４）前記システムにおいて、さらに、ポンプが、呼気部分の収集物を第２のセンサに送るために反転されなくても良い。
【手続補正２】
【補正対象書類名】特許請求の範囲
【補正対象項目名】全文
【補正方法】変更
【補正の内容】
【特許請求の範囲】
【請求項１】
呼気被検体を測定する方法であって、
第１のセンサを用いて、一連の呼気をモニタリングするステップと、
捕捉するための前記一連の呼気の複数の呼気部分を決定するステップであって、前記複数の呼気部分の各呼気部分が、前記第１のセンサの被検体応答時間よりも短い継続時間を前記第１のセンサにおいて含むステップと、
前記複数の呼気部分を全体として収集するステップと、
第２のセンサを用いて、呼気部分の収集物の被検体濃度を測定するステップであって、呼気部分の前記収集物が、前記第２のセンサの応答時間よりも長い継続時間を含むステップと、
を含む方法。
【請求項２】
前記第１のセンサと前記第２のセンサとが同じセンサである、請求項１に記載の方法。
【請求項３】
前記第１のセンサと前記第２のセンサとが共に前記被検体を測定することができる、請求項１に記載の方法。
【請求項４】
前記一連の呼気をモニタリングするステップが、各呼気の呼気速度をモニタリングするステップを含む、請求項１に記載の方法。
【請求項５】
前記一連の呼気をモニタリングするステップが、各呼気のカプノメトリ信号をモニタリングするステップを含む、請求項１に記載の方法。
【請求項６】
捕捉するための前記一連の呼気の複数の呼気部分を決定するステップが、通常の呼気終末プロファイルを用いて呼気を同定するステップを含む、請求項１に記載の方法。
【請求項７】
捕捉するための前記一連の呼気の複数の呼気部分を決定するステップが、非定常状態呼気、エピソード呼気、および異常呼気の１つまたは複数を除外するステップを含む、請求項１に記載の方法。
【請求項８】
前記被検体がＣＯ２である、請求項１に記載の方法。
【請求項９】
前記第１のセンサが赤外ＣＯ２センサである、請求項１に記載の方法。
【請求項１０】
前記複数の呼気部分の各呼気部分が、それぞれの呼気の最後の１５０ｍｓｅｃの実質的にすべてを含む、請求項１に記載の方法。
【請求項１１】
前記複数の呼気部分を全体として収集するステップが、前記複数の呼気部分をポンプを用いて収集チャンバの中に引き入れるステップを含み、第２のセンサを用いて呼気部分の収集物の被検体濃度を測定するステップが、呼気部分の前記収集物を前記第２のセンサに送るために前記ポンプを反転させるステップを含む、請求項１に記載の方法。
【請求項１２】
前記複数の呼気部分を全体として収集するステップが、前記複数の呼気部分をポンプを用いて収集チャンバの中に引き入れるステップを含み、第２のセンサを用いて呼気部分の収集物の被検体濃度を測定するステップが、呼気部分の前記収集物を前記第２のセンサに送るために前記ポンプを反転させないステップを含む、請求項１に記載の方法。
【請求項１３】
呼気被検体を測定するためのシステムであって、
一連の呼気からデータを生成する第１のセンサと、
前記データを受け取り、捕捉するための前記一連の呼気の複数の呼気部分を前記データに基づき決定するプロセッサであって、前記複数の呼気部分の各呼気部分が、前記第１のセンサの被検体応答時間よりも短い継続時間を前記第１のセンサにおいて含む、プロセッサと、
前記複数の呼気部分を全体として収集するチャンバと、
呼気部分の収集物の被検体濃度を測定する第２のセンサであって、呼気部分の前記収集物が前記第１のセンサの応答時間よりも長い継続時間を含む第２のセンサと、
を含むシステム。
【請求項１４】
前記第１のセンサと前記第２のセンサとが同じセンサである、請求項１３に記載のシステム。
【請求項１５】
前記第１のセンサと前記第２のセンサとが共に前記被検体を測定することができる、請求項１３に記載のシステム。
【請求項１６】
前記第１のセンサが前記一連の呼気の各呼気の呼気速度に基づきデータを生成する、請求項１３に記載のシステム。
【請求項１７】
前記第１のセンサが前記一連の呼気の各呼気のカプノメトリ信号に基づきデータを生成する、請求項１３に記載のシステム。
【請求項１８】
前記プロセッサが、通常の呼気終末プロファイルを用いて呼気を同定することにより、捕捉するための前記一連の呼気の前記複数の呼気部分を決定する、請求項１３に記載のシステム。
【請求項１９】
前記プロセッサが、非定常状態呼気、エピソード呼気、および異常呼気の１つまたは複数を除外することにより、捕捉するための前記一連の呼気の前記複数の呼気部分を決定する、請求項１３に記載のシステム。
【請求項２０】
前記被検体がＣＯ２である、請求項１３に記載のシステム。
【請求項２１】
前記第１のセンサが赤外ＣＯ２センサである、請求項１３に記載のシステム。
【請求項２２】
前記複数の呼気部分の各呼気部分が、それぞれの呼気の最後の１５０ｍｓｅｃの実質的にすべてを含む、請求項１３に記載のシステム。
【請求項２３】
前記複数の呼気部分を前記チャンバの中に引き入れるポンプをさらに備えており、前記ポンプが呼気部分の収集物を前記第２のセンサに送る、請求項１３に記載のシステム。
【請求項２４】
前記ポンプが、呼気部分の収集物を前記第２のセンサに送るために反転されない、請求項２３に記載のシステム。